(57)【要約】【課題】本出願は、入射する電磁放射線に存在する所定種類の放射線の強度を表示するための検出装置（１）に関する。【解決手段】本検出装置は、入射電磁放射線をフィルタリングするためのフィルタ要素（２）であって、入射電磁放射線から５９０ｎｍ超の波長の電磁放射線をフィルタリング除去するように構成された、フィルタ要素（２）と、入射電磁放射線に存在する所定種類の放射線の光子密度を増加させるように構成された収束要素（３）と、フィルタ要素および収束要素を通過した入射電磁放射線を受光するように配置される材料のセンサ要素（４）であって、材料のセンサ要素の色の変化によって入射電磁放射線に存在する所定種類の放射線の強度を表示するための、材料のセンサ要素（４）と、を備え、材料は、以下の式（Ｉ）によって表される。【選択図】図１
2021501872.tif 000002
【特許請求の範囲】
【請求項１】
入射する電磁放射線に存在する所定種類の放射線の強度を表示するための検出装置（１）であって、前記検出装置は、
−入射電磁放射線をフィルタリングするためのフィルタ要素（２）であって、入射電磁放射線から５９０ｎｍ超の波長の電磁放射線をフィルタリング除去するように構成された、フィルタ要素（２）と、
−入射電磁放射線に存在する前記所定種類の放射線の光子密度を増加させるように構成された収束要素（３）と、
−前記フィルタ要素および前記収束要素を通過した入射電磁放射線を受光するように配置される材料のセンサ要素（４）であって、前記材料のセンサ要素の色の変化によって入射電磁放射線に存在する前記所定種類の放射線の強度を表示するための、材料のセンサ要素（４）と、を備え、前記材料は、以下の式（Ｉ）によって表され、
（Ｍ’）８（Ｍ’’Ｍ’’’）６Ｏ２４（Ｘ，Ｓ）２：Ｍ’’’’・・・式（Ｉ）
式中、
Ｍ’は、ＩＵＰＡＣ元素周期表の第１族から選択されるアルカリ金属の単原子カチオン、またはそのようなカチオンの任意の組み合わせを表し、
Ｍ’’は、ＩＵＰＡＣ元素周期表の第１３族から選択される元素の三価単原子カチオン、ＩＵＰＡＣ元素周期表の第３族〜第１２族のいずれかから選択される遷移元素の三価単原子カチオン、またはそのようなカチオンの任意の組み合わせを表し、
Ｍ’’’は、ＩＵＰＡＣ元素周期表の第１４族から選択される元素の単原子カチオン、またはそのようなカチオンの任意の組み合わせを表し、
Ｘは、ＩＵＰＡＣ元素周期表の第１６族もしくはＩＵＰＡＣ元素周期表の第１７族から選択される元素のアニオン、またはそのようなアニオンの任意の組み合わせを表し、
Ｍ’’’’は、ＩＵＰＡＣ元素周期表の希土類金属もしくはＩＵＰＡＣ元素周期表の遷移金属から選択される元素のドーパントカチオン、またはそのようなカチオンの任意の組み合わせを表すか、または、Ｍ’’’’は存在しない、検出装置。
【請求項２】
前記フィルタ要素（２）は、入射電磁放射線から４００ｎｍ超、または３００ｎｍ超の波長を有する電磁放射線をフィルタリング除去するように構成されている、請求項１に記載の検出装置。
【請求項３】
前記フィルタ要素（２）は、０ｎｍ超〜５９０ｎｍ、または０ｎｍ超〜５６０ｎｍ、または０ｎｍ超〜５００ｎｍ、または０ｎｍ超〜４００ｎｍ、または０ｎｍ超〜３００ｎｍ、または０．０００００１〜５９０ｎｍ、または０．０００００１〜５６０ｎｍ、または０．０００００１〜５００ｎｍ、０．０００００１〜４００ｎｍ、または０．０００００１〜３００ｎｍ、または０．０００００１〜１０ｎｍ、０．０１〜５９０ｎｍ、または０．０１〜５６０ｎｍ、または０．０１〜５００ｎｍ、または１０〜５９０ｎｍ、または１０〜５６０ｎｍ、または１０〜５００ｎｍ、または０．０１〜４００ｎｍ、または０．０１〜３００ｎｍ、または１０〜４００ｎｍ、または１０〜３００ｎｍ、または０．０１〜１０ｎｍの波長を有する入射電磁放射線を通過させるように構成されている、請求項１または２に記載の検出装置。
【請求項４】
前記フィルタ要素（２）および前記収束要素（３）は、入射電磁放射線から５９０ｎｍ超の波長の電磁放射線をフィルタリング除去し、かつ入射電磁放射線に存在する前記所定種類の放射線の光子密度を増加させるように構成された一つの同じ要素である、請求項１〜３のいずれか一項に記載の検出装置。
【請求項５】
入射電磁放射線は、人工放射線源からまたは太陽光から生じる、請求項１〜４のいずれか一項に記載の検出装置。
【請求項６】
Ｍ’は、ＩＵＰＡＣ元素周期表の第１族から選択される異なるアルカリ金属のうちの少なくとも２つの単原子カチオンの組み合わせを表す、請求項１〜５のいずれか一項に記載の検出装置。
【請求項７】
Ｍ’は、ＩＵＰＡＣ元素周期表の第１族から選択される異なるアルカリ金属のうちの少なくとも２つの単原子カチオンの組み合わせを表し、前記組み合わせは、０〜９８モル％、または０〜９５モル％、または０〜９０モル％、または０〜８５モル％、または０〜８０モル％、または０〜７０モル％のＮａの単原子カチオンを含む、請求項１〜６のいずれか一項に記載の検出装置。
【請求項８】
Ｍ’は、Ｌｉ、Ｎａ、Ｋ、およびＲｂからなる群から選択される異なるアルカリ金属のうちの少なくとも２つの単原子カチオンの組み合わせを表す、請求項１〜７のいずれか一項に記載の検出装置。
【請求項９】
Ｍ’’は、ＡｌおよびＧａからなる群から選択される金属の三価単原子カチオン、またはそのようなカチオンの組み合わせを表す、請求項１〜８のいずれか一項に記載の検出装置。
【請求項１０】
Ｍ’’は、Ｂの三価単原子カチオンを表す、請求項１〜８のいずれか一項に記載の検出装置。
【請求項１１】
Ｍ’’’は、ＳｉおよびＧｅからなる群から選択される元素の単原子カチオン、またはそのようなカチオンの組み合わせを表す、請求項１〜１０のいずれか一項に記載の検出装置。
【請求項１２】
Ｘは、Ｏ、Ｓ、Ｓｅ、およびＴｅからなる群から選択される元素のアニオン、またはそのようなアニオンの任意の組み合わせを表す、請求項１〜１１のいずれか一項に記載の検出装置。
【請求項１３】
Ｘは、Ｆ、Ｃｌ、Ｂｒ、およびＩからなる群から選択される元素のアニオン、またはそのようなアニオンの任意の組み合わせを表す、請求項１〜１１のいずれか一項に記載の検出装置。
【請求項１４】
Ｍ’’’’は、ＥｕおよびＴｂからなる群から選択される元素のカチオン、またはそのようなカチオンの組み合わせを表す、請求項１〜１３のいずれか一項に記載の検出装置。
【請求項１５】
Ｍ’’’’は、Ｔｉ、Ｖ、Ｃｒ、Ｍｎ、Ｆｅ、Ｃｏ、Ｎｉ、Ｃｕ、およびＺｎからなる群から選択される元素のカチオン、またはそのようなカチオンの任意の組み合わせを表す、請求項１〜１３のいずれか一項に記載の検出装置。
【請求項１６】
入射電磁放射線に存在する所定種類の放射線の強度を表示する方法であって、
ｉ）入射電磁放射線から５９０ｎｍ超の波長の電磁放射線をフィルタリング除去するステップと、
ｉｉ）入射電磁放射線に存在する前記所定種類の放射線の光子密度を増加させるために入射電磁放射線を収束させるステップと、
ｉｉｉ）材料のセンサ要素を、前記ステップｉ）および前記ステップｉｉ）でそれぞれフィルタリングされおよび収束した入射電磁放射線に曝すステップであって、前記材料は、請求項１〜１５のいずれか一項で定義された前記式（Ｉ）によって表される、ステップと、
ｉｖ）前記ステップｉｉｉ）で入射電磁放射線に曝された結果としての前記材料のセンサ要素の色の変化について決定するステップと、
ｖ）前記材料のセンサ要素の色を、前記所定種類の放射線の強度と前記材料のセンサ要素の色との相関を示す基準と比較するステップと、を含む、方法。
【請求項１７】
前記ステップｉ）および前記ステップｉｉ）は、任意の順序で一方が他方の後に実行されるか、または前記ステップｉ）および前記ステップｉｉ）は、同時に実行される、請求項１６に記載の方法。
【請求項１８】
電磁放射線に存在する所定種類の放射線の強度を表示するための、請求項１〜１５のいずれか一項に記載の検出装置の使用。
【請求項１９】
前記検出装置は、電磁放射線に曝される、請求項１８に記載の使用。
【発明の詳細な説明】
【技術分野】
【０００１】
本出願は、入射電磁放射線に存在する所定種類の放射線の強度を表示するための検出装置および方法、ならびに検出装置の使用に関する。
【背景技術】
【０００２】
日光によるものであれ、日焼け紫外線装置によるものであれ、紫外線（ＵＶ）照射レベルが上昇すると、皮膚がん、皮膚の他の病気、および皮膚の老化の可能性を高めるという悪影響がある。したがって、いつ紫外線からの保護を求めるか、またはいつ日焼け止めローションを塗布または再塗布するかを知ることは重要である。
【０００３】
ＵＶ暴露により色が変化するＵＶ応答性フォトクロミック有機分子を使用することができる。現在、太陽紫外線のレベルを表示するために使用できるＵＶインジケータブレスレットやカードなどの装置がある。これらは、スピロオキサジン、スピロピラン、フルギド、フルギミド、ビスイミダゾール、ビオロゲン誘導体などの有機分子系に基づく。通常、これらの材料の色は、ＵＶ曝露をやめると薄くなるので再利用可能なインジケータとなるが、それらのいくつかは単回使用のものである。ただし、再利用可能なフォトクロミック分子の多くは寿命が短いため、ＵＶ曝露が長すぎるか強すぎるとその機能性を失う場合がある。ただし、スピロオキサジンは２〜３年持続する場合がある。スピロオキサジンの欠点は、高価であることである。高価で寿命が短いことは、フォトクロミックＵＶインジケータ装置でのこれらの材料の使いやすさを低下させる。また、ハックマナイトも、紫外線に曝されると色が変化する能力がある。しかしながら、太陽光照射は、約３％の紫外線Ａ（ＵＶＡ）と約０．１％の紫外線Ｂ（ＵＶＢ）としか含まないため、このように使用すると、その色強度はかなり弱くなる場合がある。
【０００４】
そこで、本発明者らは、再利用可能であり、かつ長期間にわたって確実に使用できる低コストの放射線表示装置の必要性を認識した。
【発明の概要】
【発明が解決しようとする課題】
【０００５】
新しい種類の検出装置とその使用を提供することを目的とする。また、所定種類の放射線の強度を決定する方法を提供することを目的とする。
【課題を解決するための手段】
【０００６】
本出願に係る検出装置は、請求項１に記載されていることを特徴とする。
【０００７】
本出願に係る方法は、請求項１６に記載されていることを特徴とする。
【０００８】
本出願に係る使用は、請求項１８に記載されていることを特徴とする。
【図面の簡単な説明】
【０００９】
検出装置および方法のさらなる理解を提供し、本明細書の一部を構成するように含まれる添付図面は、実施形態を示し、その説明とともに上記の原理を説明するのに役立つ。
【図１】検出装置の一実施形態を概略的に示す。
【図２】実施例５の試験結果を開示する。
【図３】実施例６の試験結果を開示する。
【図４】実施例７の試験結果を開示する。
【発明を実施するための形態】
【００１０】
本出願は、入射する電磁放射線に存在する所定種類の放射線の強度を表示するための検出装置に関し、この検出装置は、
−入射電磁放射線をフィルタリングするためのフィルタ要素であって、入射電磁放射線から５９０ｎｍ超の波長の電磁放射線をフィルタリング除去するように構成された、フィルタ要素と、
−入射電磁放射線に存在する所定種類の放射線の光子密度を増加させるように構成された収束要素と、
−フィルタ要素および収束要素を通過した入射電磁放射線を受光するように配置される材料のセンサ要素であって、材料のセンサ要素の色の変化によって入射電磁放射線に存在する所定種類の放射線の強度を表示するための、材料のセンサ要素と、を備え、当該材料は、以下の式（Ｉ）によって表され、
（Ｍ’）８（Ｍ’’Ｍ’’’）６Ｏ２４（Ｘ，Ｓ）２：Ｍ’’’’・・・式（Ｉ）
式中、
Ｍ’は、ＩＵＰＡＣ元素周期表の第１族から選択されるアルカリ金属の単原子カチオン、またはそのようなカチオンの任意の組み合わせを表し、
Ｍ’’は、ＩＵＰＡＣ元素周期表の第１３族から選択される元素の三価単原子カチオン、ＩＵＰＡＣ元素周期表の第３族〜第１２族のいずれかから選択される遷移元素の三価単原子カチオン、またはそのようなカチオンの任意の組み合わせを表し、
Ｍ’’’は、ＩＵＰＡＣ元素周期表の第１４族から選択される元素の単原子カチオン、またはそのようなカチオンの任意の組み合わせを表し、
Ｘは、ＩＵＰＡＣ元素周期表の第１６族もしくはＩＵＰＡＣ元素周期表の第１７族から選択される元素のアニオン、またはそのようなアニオンの任意の組み合わせを表し、
Ｍ’’’’は、ＩＵＰＡＣ元素周期表の希土類金属もしくはＩＵＰＡＣ元素周期表の遷移金属から選択される元素のドーパントカチオン、またはそのようなカチオンの任意の組み合わせを表すか、または、Ｍ’’’’は存在しない。
【００１１】
本出願はさらに、入射電磁放射線に存在する所定種類の放射線の強度を表示する方法に関し、本方法は、
ｉ）入射電磁放射線から５９０ｎｍ超の波長の電磁放射線をフィルタリング除去するステップと、
ｉｉ）入射電磁放射線に存在する所定種類の放射線の光子密度を増加させるために入射電磁放射線を収束させるステップと、
ｉｉｉ）材料のセンサ要素を、ステップｉ）およびステップｉｉ）でそれぞれフィルタリングされおよび収束した入射電磁放射線に曝すステップであって、材料は、本出願で定義された式（Ｉ）によって表される、ステップと、
ｉｖ）材料のセンサ要素の色の変化について決定するステップと、
ｖ）材料のセンサ要素の色を、所定種類の放射線の強度と材料のセンサ要素の色との相関を示す基準と比較するステップと、を含む。
【００１２】
本出願はさらに、電磁放射線に存在する所定種類の放射線の強度を表示するための本出願で定義された検出装置の使用に関する。一実施形態では、検出装置は、例えば紫外線感受性材料の品質および／または寿命を監視するために使用される。一実施形態では、検出装置は、光線療法中に例えば紫外線の強度を監視するために使用される。
【００１３】
一実施形態では、電磁放射線に存在する所定種類の放射線の強度を表示することは、電磁放射線に存在する所定種類の放射線の強度を測定および／または決定することを含むかまたは指す。一実施形態では、電磁放射線に存在する所定種類の放射線の事前未知の強度が表示され、測定され、および／または決定される。
【００１４】
一実施形態では、電磁放射線に存在する所定種類の放射線の強度は、電磁放射線に存在する所定種類の放射線の線量および／または量を指す。
【００１５】
一実施形態では、所定種類の放射線は、０ｎｍ超〜５９０ｎｍ、または０ｎｍ超〜５６０ｎｍ、または０ｎｍ超〜５００ｎｍ、または０ｎｍ超〜４００ｎｍ、または０ｎｍ超〜３００ｎｍ、または０．０００００１〜５９０ｎｍ、または０．０００００１〜５６０ｎｍ、または０．０００００１〜５００ｎｍ、または１０〜５９０ｎｍ、または１０〜５６０ｎｍ、または１０〜５００ｎｍ、または０．０００００１〜４００ｎｍ、または０．０００００１〜３００ｎｍ、または０．０００００１〜１０ｎｍ、または１０〜４００ｎｍ、または１０〜３００ｎｍ、または０．０１〜１０ｎｍの波長を有する放射線である。一実施形態では、所定種類の放射線は、紫外線および／またはＸ線である。一実施形態では、所定種類の放射線は、紫外線である。一実施形態では、所定種類の放射線は、Ｘ線である。一実施形態では、所定種類の放射線は、ガンマ線である。
【００１６】
本明細書では、特に明記しない限り、電磁放射線に対する「入射」という表現は、検出装置の周囲から検出装置に入射する電磁放射線として理解されるべきである。電磁放射線は、例えば、入ってくる太陽放射であってもよい。
【００１７】
一実施形態では、ステップｉ）およびステップｉｉ）は、任意の順序で一方が他方の後に実行されるか、またはステップｉ）およびステップｉｉ）は、同時に実行される。一実施形態では、ステップｉ）およびステップｉｉ）は、ステップｉｉｉ）が実行される前に、任意の順序で一方が他方の後にまたは同時に実行される。一実施形態では、ステップｉ）は、ステップｉｉ）の前に実行される。一実施形態では、ステップｉｉ）は、ステップｉ）の前に実行される。一実施形態では、ステップｉ）およびステップｉｉ）は、同時に実行される。
【００１８】
一実施形態では、ステップｉｖ）は、材料の色の変化について視覚的に決定することを含む。
【００１９】
基準は、例えば、所定種類の放射線の強度と材料のセンサ要素の色の強度との間の相関を示すカードなどであってもよい。
【００２０】
一実施形態では、材料のセンサ要素の色の強度は、ＵＶ指数の値を示すために使用される。一実施形態では、材料のセンサ要素の色の強度と紫外線の強度との間の相関は、以下の数式１に基づいて計算される。
ｙ＝Ａ１＊ｅ（ｘ／ｔ１）＋ｙ０・・・数式１
数式１において、パラメータの意味は次のとおりである。
ｙ＝色の強度［黒のパーセント］
Ａ１＝色の振幅
ｘ＝日光のＵＶ指数値、またはＵＶＡ、ＵＶＢ、および／もしくはＵＶＣのＵＶランプパワー［％］
ｔ１＝色の成長定数
ｙ０＝色の初期オフセット
【００２１】
一実施形態では、フィルタ要素および収束要素は、検出装置に入射する電磁放射線の方向から見たときに、入射電磁放射線が最初にフィルタ要素を通過し、次に収束要素を通過するように、一方が他方の後に配置される。一実施形態では、フィルタ要素および収束要素は、検出装置に入射する電磁放射線の方向から見たときに、入射電磁放射線が最初に収束要素を通過し、次にフィルタ要素を通過するように、一方が他方の後に配置される。
【００２２】
一実施形態では、フィルタ要素および収束要素は、一つの同じ要素である。一実施形態では、フィルタ要素および収束要素は、単一の要素である。一実施形態では、フィルタ要素および収束要素は、入射電磁放射線から５９０ｎｍ超の波長の電磁放射線をフィルタリング除去し、かつ入射電磁放射線に存在する所定種類の放射線の光子密度を増加させるように構成される一つの同じ要素である。フィルタ要素および収束要素が一つの同じ要素である場合、入射電磁放射線は、ステップｉ）およびステップｉｉ）の両方が同時に施される。
【００２３】
一実施形態では、フィルタ要素は、ガラス、プラスチック、ガラスセラミック、またはそれらの組み合わせでできている。一実施形態では、フィルタ要素は、液体、気体、またはそれらの組み合わせを含む。一実施形態では、フィルタ要素は、電気素子および／または半透明要素である。
【００２４】
一実施形態では、フィルタ要素は、入射電磁放射線から４００ｎｍ超、または３００ｎｍ超の波長を有する電磁放射線をフィルタリング除去するように構成される。
【００２５】
一実施形態では、フィルタ要素（２）は、０ｎｍ超〜５９０ｎｍ、または０ｎｍ超〜５６０ｎｍ、または０ｎｍ超〜５００ｎｍ、または０ｎｍ超〜４００ｎｍ、または０ｎｍ超〜３００ｎｍ、または０．０００００１〜５９０ｎｍ、または０．０００００１〜５６０ｎｍ、または０．０００００１〜５００ｎｍ、または０．０１〜５９０ｎｍ、または０．０１〜５６０ｎｍ、または０．０１〜５００ｎｍ、または０．０１〜４００ｎｍ、または０．０１〜３００ｎｍ、または１０〜５９０ｎｍ、または１０〜５６０ｎｍ、または１０〜５００ｎｍ、または０．０００００１〜４００ｎｍ、または０．０００００１〜３００ｎｍ、または０．０００００１〜１０ｎｍ、または１０〜４００ｎｍ、または１０〜３００ｎｍ、または０．０１〜１０ｎｍの波長を有する入射電磁放射線を通過させるように構成される。
【００２６】
検出装置でのフィルタ要素の使用には、材料のセンサ要素に到達する可視光および／または近赤色赤外線の量を減少させることを可能にする追加の有用性があり、それにより、入射電磁放射線に存在する紫外線などの所定種類の放射線に曝されている材料の色変化の強度が増加し得る。驚くべきことに、発明者らは、入射電磁放射線を、可視光および／または近赤外線をブロック、またはその量を減らすためにフィルタリングした場合、所定種類の放射線に曝されたときの材料のセンサ要素によって示される色変化の強度を増加させることが可能であることを見出した。本発明者らは、検出装置により、材料のセンサ要素の色を消去する可視光の影響を低減することができ、より強い色変化を達成できることに気付いた。
【００２７】
収束要素は、材料のセンサ要素のより強いまたはより際立った色変化効果を達成するために、エネルギーの強度または所定種類の放射線の光子密度を増加させるために使用されてもよい。一実施形態では、収束要素は、所定種類の放射線の光子束密度を増加させるために使用される。一実施形態では、収束要素の使用により、材料のセンサ要素に当たる所定種類の放射線の光子の数が増加する。したがって、収束要素を使用して、所定種類の放射線ビームをより小さい領域に収束させることができる。一実施形態では、収束要素は、１．００００１〜１００００、または１．０００１〜１００００、または１．００１〜１００００、または１．０１〜１００００、または１．１〜１００００、または１．００００１〜２５００、または１．０００１〜２５００、または１．００１〜２５００、または１．０１〜２５００、または１．１〜２５００、または１．００００１〜１２００、または１．０００１〜１２００、または１．００１〜１２００、または１．０１〜１２００、または１．１〜１２００、または１．００００１〜１０００、または１．０００１〜１０００、または１．００１〜１０００、または１．０１〜１０００、または１．１〜１０００、または１．００００１〜８００、または１．０００１〜８００、または１．００１〜８００、または１．０１〜８００、または１．１〜８００、または１．００００１〜５５０、または１．０００１〜５５０、または１．００１〜５５０、または１．０１〜５５０、または１．１〜５５０、または１．００００１〜５００、または１．０００１〜５００、または１．００１〜５００、または１．０１〜５００、または１．１〜５００、または１．００００１〜１００、または１．０００１〜１００、または１．００１〜１００、または１．０１〜１００、または１．１〜１００の高密度化係数で入射電磁放射線のビームを収束するように構成される。本明細書では、特に明記しない限り、「高密度化係数」という表現は、収束要素を通って伝達される前の電磁放射線のビームのサイズと、収束要素を通って伝達された後の電磁放射線のビームのサイズとの比として理解されるべきである。収束要素には、入射電磁放射線をより小さな領域に集束させるという追加の有用性があり、それにより光子密度が増加する。材料のセンサ要素の色変化の強度は、光子密度が増加するように収束要素で入射電磁放射線、例えばそのフィルタリングされた部分を集束するときにさらに増加し得る。一実施形態では、収束要素は、レンズ、ミラー、プリズム、格子、回折格子、半透明ミラー、電気フィルタ、またはそれらの任意の組み合わせである。
【００２８】
一実施形態では、検出装置は、電磁放射線に曝される。一実施形態では、入射電磁放射線は、太陽光である。一実施形態では、入射電磁放射線は、人工放射線源からまたは太陽光から生じる。一実施形態では、人工放射線は、ＵＶ光、ＬＥＤ光、ハロゲン光、ソーラーシミュレータ光、蛍光灯、Ｘ線、またはそれらの任意の組み合わせである。
【００２９】
一実施形態では、センサ要素の材料は、合成材料である。すなわち、一実施形態では、材料は、合成的に調製される。
【００３０】
一実施形態では、センサ要素は、式（Ｉ）で表される材料を含む。一実施形態では、センサ要素は、式（Ｉ）で表される材料からなる。一実施形態では、センサ要素は、式（Ｉ）で表される材料でできている。
【００３１】
本明細書では、特に明記しない限り、「単原子イオン」という表現は、単一の原子からなるイオンとして理解されるべきである。イオンが複数の原子を含む場合、これらの原子が同じ元素であっても、それは多原子イオンとして理解されるべきである。したがって、本明細書では、特に明記しない限り、「単原子カチオン」という表現は、単一の原子からなるカチオンとして理解されるべきである。
【００３２】
さまざまなソーダライト材料であるハックマナイトは、Ｎａ８Ａｌ６Ｓｉ６Ｏ２４（Ｃｌ，Ｓ）２の化学式を有する天然鉱物である。紫外線の検出を可能にする合成ハックマナイト系の材料を調製することができる。式（Ｉ）の合成材料は、紫外線に曝された結果として、検知または検出された放射線の放射照度に比例する色の強度を示す技術的効果を有する。したがって、この材料は、例えば日焼けを引き起こす紫外線Ｂの放射線および紫外線Ｃの放射線の量を検出および表示するために使用されてもよい。
【００３３】
紫外線は、１０ｎｍ（３０ＰＨｚ）〜４００ｎｍ（７５０ＴＨｚ）の波長の電磁放射線である。紫外線（ＵＶＲ）の電磁スペクトルは、紫外線Ａ（ＵＶＡ）、紫外線Ｂ（ＵＶＢ）、紫外線Ｃ（ＵＶＣ）など、ＩＳＯ規格ＩＳＯ−２１３４８で推奨されているいくつかの範囲に細分化できる。ＵＶＡの波長は一般に３１５〜４００ｎｍ、ＵＶＢの波長は一般に２８０〜３２０ｎｍ、ＵＶＣの波長は一般に１００〜２９０ｎｍとみなされる。
【００３４】
一実施形態では、紫外線は、紫外線Ａの放射線、紫外線Ｂの放射線および／または紫外線Ｃの放射線を含む。一実施形態では、紫外線は、紫外線Ａの放射線、紫外線Ｂの放射線および／または紫外線Ｃの放射線からなる。一実施形態では、紫外線は、紫外線Ａの放射線、紫外線Ｂの放射線および／または紫外線Ｃの放射線である。
【００３５】
一実施形態では、Ｍ’は、Ｎａ、Ｌｉ、Ｋ、およびＲｂからなる群から選択されるアルカリ金属の単原子カチオン、またはそのようなカチオンの任意の組み合わせを表す。一実施形態では、Ｍ’は、Ｌｉ、Ｋ、およびＲｂからなる群から選択されるアルカリ金属の単原子カチオン、またはそのようなカチオンの任意の組み合わせを表す。
【００３６】
一実施形態では、Ｍ’は、ＩＵＰＡＣ元素周期表の第１族から選択されるアルカリ金属の単原子カチオン、またはそのようなカチオンの任意の組み合わせを表す。ただし、Ｍ’は、Ｎａの単原子カチオンのみを表すものではない。
【００３７】
一実施形態では、Ｍ’は、ＩＵＰＡＣ元素周期表の第１族から選択される異なるアルカリ金属のうちの少なくとも２つの単原子カチオンの組み合わせを表す。
【００３８】
一実施形態では、Ｍ’は、ＩＵＰＡＣ元素周期表の第１族から選択される異なるアルカリ金属のうちの少なくとも２つの単原子カチオンの組み合わせを表し、その組み合わせは、最大で６６モルパーセント（モル％）のＮａの単原子カチオンを含む。一実施形態では、Ｍ’は、ＩＵＰＡＣ元素周期表の第１族から選択される異なるアルカリ金属のうちの少なくとも２つの単原子カチオンの組み合わせを表し、その組み合わせは、最大で５０モル％のＮａの単原子カチオンを含む。一実施形態では、Ｍ’は、ＩＵＰＡＣ元素周期表の第１族から選択される異なるアルカリ金属のうちの少なくとも２つの単原子カチオンの組み合わせを表し、その組み合わせは、最大で４０モル％のＮａの単原子カチオン、または最大で３０モル％のＮａの単原子カチオン、または最大で２０モル％のＮａの単原子カチオンを含む。
【００３９】
一実施形態では、Ｍ’は、ＩＵＰＡＣ元素周期表の第１族から選択される異なるアルカリ金属のうちの少なくとも２つの単原子カチオンの組み合わせを表し、その組み合わせは、０〜９８モル％のＮａの単原子カチオンを含む。一実施形態では、Ｍ’は、ＩＵＰＡＣ元素周期表の第１族から選択される異なるアルカリ金属のうちの少なくとも２つの単原子カチオンの組み合わせを表し、その組み合わせは、０〜９８モル％、または０〜９５モル％、または０〜９０モル％、または０〜８５モル％、または０〜８０モル％、または０〜７０モル％のＮａの単原子カチオンを含む。一実施形態では、Ｍ’は、ＩＵＰＡＣ元素周期表の第１族から選択される異なるアルカリ金属のうちの少なくとも２つの単原子カチオンの組み合わせを表し、その組み合わせは、０〜１００モル％のＫの単原子カチオンを含む。一実施形態では、Ｍ’は、ＩＵＰＡＣ元素周期表の第１族から選択される異なるアルカリ金属のうちの少なくとも２つの単原子カチオンの組み合わせを表し、その組み合わせは、０〜１００モル％のＲｂの単原子カチオンを含む。一実施形態では、Ｍ’は、ＩＵＰＡＣ元素周期表の第１族から選択される異なるアルカリ金属のうちの少なくとも２つの単原子カチオンの組み合わせを表し、その組み合わせは、０〜１００モル％のＬｉの単原子カチオンを含む。
【００４０】
一実施形態では、Ｍ’は、Ｌｉ、Ｎａ、Ｋ、およびＲｂからなる群から選択される異なるアルカリ金属のうちの少なくとも２つの単原子カチオンの組み合わせを表す。一実施形態では、Ｍ’は、Ｌｉ、Ｎａ、Ｋ、およびＲｂからなる群から選択される異なるアルカリ金属の２つの単原子カチオンの組み合わせを表す。一実施形態では、Ｍ’は、Ｌｉ、Ｎａ、Ｋ、およびＲｂからなる群から選択される異なるアルカリ金属のうちの３つの単原子カチオンの組み合わせを表す。一実施形態では、Ｍ’は、Ｌｉ、Ｎａ、Ｋ、およびＲｂの単原子カチオンの組み合わせを表す。
【００４１】
一実施形態では、Ｍ’は、Ｎａの単原子カチオンと、Ｌｉの単原子カチオン、Ｋの単原子カチオンおよび／またはＲｂの単原子カチオンとの組み合わせを表す。一実施形態では、Ｍ’は、Ｎａの単原子カチオンと、Ｋの単原子カチオンまたはＲｂの単原子カチオンとの組み合わせを表す。一実施形態において、Ｍ’は、Ｎａの単原子カチオンと、Ｋの単原子カチオンおよびＲｂの単原子カチオンとの組み合わせを表す。
【００４２】
一実施形態では、Ｍ’は、Ｎａの単原子カチオンとＫの単原子カチオンとの組み合わせ、またはＮａの単原子カチオンとＲｂの単原子カチオンとの組み合わせ、またはＫの単原子カチオンとＲｂの単原子カチオンとの組み合わせ、またはＮａの単原子カチオンとＫの単原子カチオンとＲｂの単原子カチオンとの組み合わせ、またはＫの単原子カチオンとＲｂの単原子カチオンとの組み合わせを表す。
【００４３】
一実施形態では、Ｍ’は、Ｌｉの単原子カチオンとＮａの単原子カチオンとの組み合わせ、またはＬｉの単原子カチオンとＫの単原子カチオンとの組み合わせ、またはＬｉの単原子カチオンとＲｂの単原子カチオンとの組み合わせ、またはＬｉの単原子カチオンとＫの単原子カチオンとＲｂの単原子カチオンとの組み合わせ、または、Ｌｉの単原子カチオンとＮａの単原子カチオンとＫの単原子カチオンとＲｂの単原子カチオンとの組み合わせを表す。
【００４４】
一実施形態では、Ｍ’は、Ｌｉの単原子カチオンを表す。一実施形態では、Ｍ’は、Ｋの単原子カチオンを表す。一実施形態では、Ｍ’は、Ｒｂの単原子カチオンを表す。
【００４５】
ＩＵＰＡＣ元素周期表の第１族から選択される異なるアルカリ金属のうちの少なくとも２つの単原子カチオンの組み合わせは、紫外線Ａの放射線、紫外線Ｂの放射線および／または紫外線Ｃの放射線に感受性のある材料の調製を可能にする効果がある。この組み合わせには、紫外線Ａの放射線、紫外線Ｂの放射線、および紫外線Ｃの放射線のうちの少なくとも１つの存在、または紫外線Ａの放射線、紫外線Ｂの放射線、および紫外線Ｃの放射線のすべての存在を示すことができる材料の調製を可能にする効果がある。
【００４６】
一実施形態では、Ｍ’’は、ＡｌおよびＧａからなる群から選択される金属の三価単原子カチオン、またはそのようなカチオンの組み合わせを表す。
【００４７】
一実施形態では、Ｍ’’は、Ｂの三価単原子カチオンを表す。
【００４８】
一実施形態では、Ｍ’’’は、ＳｉおよびＧｅからなる群から選択される元素の単原子カチオン、またはそのようなカチオンの組み合わせを表す。
【００４９】
一実施形態では、Ｘは、Ｆ、Ｃｌ、Ｂｒ、およびＩからなる群から選択される元素のアニオン、またはそのようなアニオンの任意の組み合わせを表す。
【００５０】
一実施形態では、Ｘは、Ｏ、Ｓ、Ｓｅ、およびＴｅからなる群から選択される元素のアニオン、またはそのようなアニオンの任意の組み合わせを表す。
【００５１】
一実施形態では、材料は、式（Ｉ）で表され、Ｍ’’’’は存在しない。この実施形態では、材料はドープされない。
【００５２】
一実施形態では、材料は、少なくとも１つの希土類金属イオンおよび／または少なくとも１つの遷移金属イオンでドープされる。一実施形態では、材料は、少なくとも１つの希土類金属イオンおよび少なくとも１つの遷移金属イオンでドープされる。一実施形態では、材料は、少なくとも１つの希土類金属イオンまたは少なくとも１つの遷移金属イオンでドープされる。
【００５３】
一実施形態では、材料は、式（Ｉ）で表され、Ｍ’’’’は、ＩＵＰＡＣ元素周期表の希土類金属もしくはＩＵＰＡＣ元素周期表の遷移金属から選択される元素のカチオン、またはそのようなカチオンの任意の組み合わせを表す。
【００５４】
一実施形態では、Ｍ’’’’は、ＥｕおよびＴｂからなる群から選択される元素のカチオン、またはそのようなカチオンの組み合わせを表す。一実施形態では、Ｍ’’’’は、Ｔｉ、Ｖ、Ｃｒ、Ｍｎ、Ｆｅ、Ｃｏ、Ｎｉ、Ｃｕ、およびＺｎからなる群から選択される元素のカチオン、またはそのようなカチオンの任意の組み合わせを表す。
【００５５】
一実施形態では、Ｍ’は、Ｌｉ、Ｎａ、Ｋ、およびＲｂからなる群から選択される異なるアルカリ金属のうちの少なくとも２つの単原子カチオンの組み合わせを表し、その組み合わせは、材料に対して所定の吸収端を提供するために選択される。本明細書では、特に明記しない限り、「吸収端」という表現は、材料の色が変化するエネルギー閾値として理解されるべきである。
【００５６】
一実施形態では、材料は、紫外線への曝露で色が変化してもよく、材料の色の強度と紫外線の強度との間の相関は、以下の数式１に基づいて計算される。
ｙ＝Ａ１＊ｅ（ｘ／ｔ１）＋ｙ０・・・数式１
数式１において、パラメータの意味は次のとおりである。
ｙ＝色の強度［黒のパーセント］
Ａ１＝色の振幅
ｘ＝日光のＵＶ指数値、またはＵＶＡ、ＵＶＢ、および／もしくはＵＶＣのＵＶランプパワー［％］
ｔ１＝色の成長定数
ｙ０＝色の初期オフセット
【００５７】
上記の数式１に基づいて、放射線強度は、色強度から次のように計算できる。
ｘ＝ｔ１＊［ｌｎ（ｙ−ｙ０）−ｌｎＡ１］
【００５８】
一実施形態では、太陽光ＵＶＩ検出の場合、Ａ１＝−１〜−１５、ｔ１＝−３０〜−５、およびｙ０＝５〜２０である。
【００５９】
一実施形態では、ＵＶＡ検出の場合、Ａ１＝−１．５〜−０．１、ｔ１＝−３０〜−１０、およびｙ０＝９．５〜１０．５である。
【００６０】
一実施形態では、ＵＶＢ検出の場合、Ａ１＝−３．０〜−１．８、ｔ１＝−４５０〜−２０、およびｙ０＝１１〜１３である。
【００６１】
一実施形態では、ＵＶＣ検出の場合、Ａ１＝−３．０〜−１．８、ｔ１＝−２００〜−１５、およびｙ０＝１２〜１３である。
【００６２】
ＩＵＰＡＣ元素周期表の第１族から選択される異なるアルカリ金属のうちの少なくとも２つの単原子カチオンの組み合わせの変更により、紫外線Ａの放射線、紫外線Ｂの放射線、および／または紫外線Ｃの放射線を検出するように調整できる材料を調製することが可能になる。
【００６３】
一実施形態では、材料は、（Ｎａ，Ｋ）８Ａｌ６Ｓｉ６Ｏ２４（Ｃｌ，Ｓ）２、（Ｎａ，Ｒｂ）８Ａｌ６Ｓｉ６Ｏ２４（Ｃｌ，Ｓ）２、（Ｎａ，Ｋ，Ｒｂ）８Ａｌ６Ｓｉ６Ｏ２４（Ｃｌ，Ｓ）２、（Ｎａ，Ｋ）８Ａｌ６Ｓｉ６Ｏ２４（Ｃｌ，Ｓ）２：Ｅｕ、（Ｎａ，Ｋ）８Ａｌ６Ｓｉ６Ｏ２４（Ｃｌ，Ｓ）２：Ｔｂ、（Ｌｉ，Ｋ）８Ａｌ６Ｓｉ６Ｏ２４（Ｃｌ，Ｓ）２、（Ｌｉ，Ｒｂ）８Ａｌ６Ｓｉ６Ｏ２４（Ｃｌ，Ｓ）２、（Ｌｉ，Ｋ，Ｒｂ）８Ａｌ６Ｓｉ６Ｏ２４（Ｃｌ，Ｓ）２、および（Ｌｉ，Ｎａ，Ｋ，Ｒｂ）８Ａｌ６Ｓｉ６Ｏ２４（Ｃｌ，Ｓ）２からなる群から選択される。
【００６４】
一実施形態では、材料は、（Ｎａ，Ｋ）８Ａｌ６Ｓｉ６Ｏ２４（Ｃｌ０．８Ｓ０．０５）２である。上記材料は、紫外線を感知するために使用されてもよい。
【００６５】
一実施形態では、材料は、（Ｎａ，Ｋ）８Ａｌ６Ｓｉ６Ｏ２４（Ｆ０．７Ｓ０．１）２である。上記材料は、Ｘ線を検知するために使用されてもよい。
【００６６】
一実施形態では、材料は、Ｎｏｒｒｂｏ他（Ｎｏｒｒｂｏ，Ｉ．、Ｇｌｕｃｈｏｗｓｋｉ，Ｐ．、Ｐａｔｕｒｉ，Ｐ．、Ｓｉｎｋｋｏｎｅｎ，Ｊ．、Ｌａｓｔｕｓａａｒｉ，Ｍ．、Ｐｅｒｓｉｓｔｅｎｔ  Ｌｕｍｉｎｅｓｃｅｎｃｅ  ｏｆ  Ｔｅｎｅｂｒｅｓｃｅｎｔ  Ｎａ８Ａｌ６Ｓｉ６Ｏ２４（Ｃｌ，Ｓ）２：Ｍｕｌｔｉｆｕｎｃｔｉｏｎａｌ  Ｏｐｔｉｃａｌ  Ｍａｒｋｅｒｓ．Ｉｎｏｒｇ．Ｃｈｅｍ．２０１５、５４、７７１７−７７２４）に従った反応により合成される。この参照文献は、Ａｒｍｓｔｒｏｎｇ＆Ｗｅｌｌｅｒ（Ａｒｍｓｔｒｏｎｇ，ＪＡ、Ｗｅｌｌｅｒ，ＪＡ、Ｓｔｒｕｃｔｕｒａｌ  Ｏｂｓｅｒｖａｔｉｏｎ  ｏｆ  Ｐｈｏｔｏｃｈｒｏｍｉｓｍ．Ｃｈｅｍ．Ｃｏｍｍｕｎ．２００６、１０９４−１０９６）に基づいており、そこでは、出発物質としてゼオライトＡおよびＮａ２ＳＯ４ならびにＬｉＣｌ、ＮａＣｌ、ＫＣｌおよび／またはＲｂＣｌの化学量論量を使用している。使用される可能性のある少なくとも１つのドーパントは、Ｅｕ２Ｏ３またはＴｂ４Ｏ７などの酸化物として添加される。材料は、次のように調製できる。ゼオライトＡを、最初に５００℃で１時間乾燥させる。その後、初期混合物を空気中で８５０℃で４８時間加熱する。その後、生成物を室温まで自由に冷却し、粉砕する。最後に、生成物を、１２％Ｈ２＋８８％Ｎ２の流動雰囲気下で８５０℃で２時間再加熱する。調製したままの材料を水で洗浄して、過剰なＬｉＣｌ／ＮａＣｌ／ＫＣｌ／ＲｂＣｌ不純物を除去する。純度は、粉末Ｘ線回折測定で確認できる。
【００６７】
一実施形態では、検出装置は、紫外線センサ、紫外線検出器、または紫外線インジケータである。一実施形態では、検出装置は、Ｘ線センサ、Ｘ線検出器、またはＸ線インジケータである。一実施形態では、検出装置は、ガンマ線センサ、ガンマ線検出器、またはガンマ線インジケータである。
【００６８】
外出する前の居住者に紫外線強度について警告するために、検出装置は、例えば窓の外側に適用することができる。検出装置は、例えば、プラスチックボトル、ステッカー、ガラス、およびＵＶインジケータを備えた同様の製品の一部であってもよい。これにより、製品自体にＵＶインジケータが提供される。検出装置は、宝石として考えてもよい。検出装置は、陰に従って較正されるメーターの表示部分の一部であってもよい。一実施形態では、検出装置は、セキュリティ装置またはその一部である。一実施形態では、セキュリティ装置は、糸、箔、およびホログラムからなる群から選択される。一実施形態では、セキュリティ装置は、紙幣、パスポート、または身分証明書で使用される。
【００６９】
一実施形態では、検出装置は、紫外線の強度を表示するために使用される。一実施形態では、紫外線は、紫外線Ａの放射線、紫外線Ｂの放射線および／または紫外線Ｃの放射線である。一実施形態では、検出装置は、０．０１〜４００ｎｍ、または１０〜４００ｎｍ、または０．０１〜１０ｎｍの波長を有する電磁放射線の強度を表示するために使用される。一実施形態では、検出装置は、Ｘ線の強度を表示するために使用される。Ｘ線は、０．０１ｎｍ〜１０ｎｍの波長の電磁放射線である。
【００７０】
上述の利益および利点は、一実施形態に関連してもよく、またはいくつかの実施形態に関連してもよいことが理解されるであろう。実施形態は、述べられた問題のいずれかもしくはすべてを解決するもの、または述べられた利益および利点のいずれかもしくはすべてを有するものに限定されない。
【００７１】
上述の実施形態は、互いに任意に組み合わせて使用してもよい。いくつかの実施形態を組み合わせて、さらなる実施形態を形成してもよい。本出願が関連する検出装置、使用、または方法は、上述の実施形態のうちの少なくとも１つを備えてもよい。
【００７２】
検出装置には、例えば太陽光に存在する紫外線の強度を効率的に推定できるという追加の有用性がある。検出装置には、日光からの保護の必要性を推定したり、例えば、日差しの中で外で過ごすときに日焼け止めローションを塗り直す必要性を推定するための高速で信頼性の高い方法を可能にする追加の有用性がある。
【００７３】
センサ要素の材料には、高ＵＶレベルでも安定性を提供する低コストの材料であるという追加の有用性があり、白色光および／または加熱下での脱色もある。この材料には、可視光または加熱により色を無色（白）に戻す、つまり脱色できるという追加の有用性があり、再利用が可能である。この材料には、紅斑の作用スペクトルによく従い、特に日焼けの原因となるＵＶＢおよびＵＶＣを監視できるという追加の有用性がある。この材料には、太陽光に対し、ＵＶ指数値を表示するために色の強度を使用できるという追加の有用性がある。
【実施例】
【００７４】
次に、説明した実施形態を詳細に参照し、その例を添付の図面に示す。
【００７５】
以下の説明は、当業者が本開示に基づく検出装置および方法を利用することができるように詳細にいくつかの実施形態を開示する。多くのステップは本明細書に基づいて当業者に明らかであるため、実施形態のすべてのステップが詳細に議論されるわけではない。
【００７６】
単純化の理由のために、構成要素を繰り返す場合、以下の例示的な実施形態ではアイテム番号を維持する。
【００７７】
図１は、検出装置に入射する電磁放射線に存在する所定種類の放射線の強度を表示するための検出装置の一実施形態を概略的に示す。図１の太線の矢印は、装置に入射する電磁放射線と、電磁放射線がフィルタ要素および収束要素を通って材料のセンサ要素に伝搬する様子を示す。図１に示す検出装置１は、入射電磁放射線をフィルタリングするためのフィルタ要素２を備える。フィルタ要素２は、入射電磁放射線から５９０ｎｍ超の波長を有する電磁放射線をフィルタリング除去するように構成される。さらに、検出装置１は、入射電磁放射線に存在する所定種類の放射線の光子密度を増加させるように構成された収束要素３を備える。また、図１に示す検出装置は、フィルタ要素および収束要素を通過した入射電磁放射線を受光するように配置された材料のセンサ要素４であって、材料のセンサ要素の色の変化により入射電磁放射線に存在する所定種類の放射線の強度を表示するためのセンサ要素４を備える。この材料は、本出願で定義する式（Ｉ）で表される。
【００７８】
図１では、フィルタ要素および収束要素は、入射電磁放射線が最初にフィルタ要素を通過し、その後収束要素を通過できるように配置されている。この順番は逆でもよく、すなわち、これらの要素を、入射電磁放射線が最初に収束要素を通過し、その後にのみフィルタ要素を通過するように配置することも同様に好ましい。一実施形態では、フィルタ要素および収束要素は、一つの同じ要素、すなわち、入射電磁放射線から５９０ｎｍ超の波長を有する電磁放射線をフィルタリング除去し、入射電磁放射線に存在する所定種類の放射線の光子密度を増加させるように構成された単一の要素であってもよい。
【００７９】
以下の実施例では、式（Ｉ）の材料をどのように調製できるかを示す。
【００８０】
実施例１−（Ｎａ，Ｋ）８Ａｌ６Ｓｉ６Ｏ２４（Ｃｌ，Ｓ）２の調製
式（Ｎａ，Ｋ）８Ａｌ６Ｓｉ６Ｏ２４（Ｃｌ，Ｓ）２で表される材料は、以下の方法で調製した。０．７０００ｇの乾燥した（５００℃で１時間）ゼオライトＡ、０．０６００ｇのＮａ２ＳＯ４および０．３０６７ｇのＫＣｌの粉末を混合した。混合物を空気中で８５０℃で４８時間加熱した。生成物を室温まで自由に冷却し、粉砕した。最後に、生成物を、１２％Ｈ２＋８８％Ｎ２の流動雰囲気下で８５０℃で２時間再加熱した。
【００８１】
実施例２−（Ｎａ，Ｒｂ）８Ａｌ６Ｓｉ６Ｏ２４（Ｃｌ，Ｓ）２の調製
式（Ｎａ，Ｒｂ）８Ａｌ６Ｓｉ６Ｏ２４（Ｃｌ，Ｓ）２で表される材料は、以下の方法で調製した。０．７０００ｇの乾燥した（５００℃で１時間）ゼオライトＡ、０．０６００ｇのＮａ２ＳＯ４および０．４９５７ｇのＲｂＣｌの粉末を混合した。混合物を空気中で８５０℃で４８時間加熱した。生成物を室温まで自由に冷却し、粉砕した。最後に、生成物を、１２％Ｈ２＋８８％Ｎ２の流動雰囲気下で８５０℃で２時間再加熱した。
【００８２】
実施例３−（Ｎａ，Ｋ）８Ａｌ６Ｓｉ６Ｏ２４（Ｃｌ，Ｓ）２の調製（以下、「Ｎａ，Ｋ組成２」として示す）
式（Ｎａ，Ｋ）８Ａｌ６Ｓｉ６Ｏ２４（Ｃｌ，Ｓ）２で表される材料は、以下の方法で調製した。０．７０００ｇの乾燥した（５００℃で１時間）ゼオライトＡ、０．０６００ｇのＮａ２ＳＯ４、０．１８００ｇのＮａＣｌおよび０．０６７５ｇのＫＣｌの粉末を混合した。混合物を空気中で８５０℃で４８時間加熱した。生成物を室温まで自由に冷却し、粉砕した。最後に、生成物を、１２％Ｈ２＋８８％Ｎ２の流動雰囲気下で８５０℃で２時間再加熱した。
【００８３】
実施例４−（Ｎａ，Ｋ）８Ａｌ６Ｓｉ６Ｏ２４（Ｃｌ，Ｓ）２：Ｅｕの調製
式（ＮａＫ）８Ａｌ６Ｓｉ６Ｏ２４（Ｃｌ，Ｓ）２：Ｅｕで表される材料は、以下の方法で調製した。０．７０００ｇの乾燥した（５００℃で１時間）ゼオライトＡ、０．０６００ｇのＮａ２ＳＯ４、０．１８００ｇのＮａＣｌおよび０．０６７５ｇのＫＣｌの粉末を０．００２ｇのＥｕ２Ｏ３の粉末と混合した。混合物を空気中で８５０℃で４８時間加熱した。生成物を室温まで自由に冷却し、粉砕した。最後に、生成物を、１２％Ｈ２＋８８％Ｎ２の流動雰囲気下で８５０℃で２時間再加熱した。
【００８４】
実施例５−実施例１で調製された材料のサンプルのテスト
実施例１で調製した材料のサンプルを、ＵＶＩ６で１０秒間ソーラーシミュレータランプからの放射線に曝すことにより試験した。ランプからの放射線を、４００ｎｍ超のすべての光をブロックする可視光ブロックフィルタでフィルタリングし、レンズで収束させた。焦点のサイズを変化させ、携帯電話のカメラを使用して対応する色強度を記録した。色強度は、非露光の白色材料と着色材料の赤緑青（ＲＧＢ）比を計算することにより決定した。その結果を図２に示す。結果は、高密度化係数を大きくすると、ビームサイズが小さくなりすぎるまで色強度が増加することを示す。
【００８５】
実施例６−実施例１で調製した材料のサンプルのテスト
実施例１で調製した材料のサンプルを、最初に１０秒間の３０２ｎｍの放射線に曝し、次いでＵＶＩ６で１０秒間のソーラーシミュレータランプに曝すことにより試験した。ソーラーシミュレータからの光を、高密度化係数２３５のレンズで収束し、フィルタを通して材料に向けた。基準材料は、１０秒間の３０２ｎｍの放射線のみに曝された。携帯電話のカメラを使用して色強度を記録し、３０２ｎｍのみに曝した基準と、３０２ｎｍおよびフィルタリングされたソーラーシミュレータランプに曝したサンプルとのＲＧＢ比を各フィルタについて計算した。その結果を図３に示す。結果は、材料に到達する可視光の量が多いほど、色が弱くなることを示す。
【００８６】
実施例７−実施例１で調製した材料のサンプルのテスト
実施例１で調製された材料のサンプルを、異なる紫外線指数（ＵＶＩ）値で１０秒間材料を照射することによって、１）フィルタ要素または収束要素を使用することなく、２）４００ｎｍ超のすべての放射線をブロックするフィルタ要素を使用して、および３）４００ｎｍ超のすべての放射線をブロックするフィルタ要素と、収束要素として高密度化係数２２を有するレンズとを使用して、テストした。色強度は、携帯電話のカメラを使用して記録した。色強度は、非露光の白色材料と着色材料のＲＧＢ比を計算することにより決定した。その結果を図４に示す。
【００８７】
特許請求の範囲の実施形態は、上述したものに限定されず、特許請求の範囲内にさらなる実施形態が存在し得ることに留意されたい。
【図１】
2021501872.tif 000003
【図２】
2021501872.tif 000004
【図３】
2021501872.tif 000005
【図４】
2021501872.tif 000006
【国際調査報告】
2021501872.tif 000007
2021501872.tif 000008
2021501872.tif 000009
2021501872.tif 000010
2021501872.tif 000011